(57)【特許請求の範囲】
【請求項１】
第１の電子部品に異方性導電膜を介して第２の電子部品を圧着するための電子部品圧着用ツ−ルにおいて、
ツ−ル本体と、
このツ−ル本体の長手方向に沿って設けられたヒ−タと、
上記ツ−ル本体の側面に設けられ上記ヒ−タによって加熱されて上記第２の電子部品を加圧加熱するためのツ−ル部と、
上記ツ−ル本体の上記ツ−ル部が設けられた側面と異なる側面に設けられ上記ツ−ル部の長手方向に沿う温度を部分的に調節する複数の温度調節手段とを具備し、
上記温度調節手段は放熱体であって、この放熱体はフィンを有し、そのフィンの数を任意に設定できる構成であることを特徴とする電子部品圧着用ツ−ル。
【請求項２】
第１の電子部品に異方性導電膜を介して第２の電子部品を圧着するための電子部品圧着用ツ−ルにおいて、
ツ−ル本体と、
このツ−ル本体の長手方向に沿って設けられたヒ−タと、
上記ツ−ル本体の側面に設けられ上記ヒ−タによって加熱されて上記第２の電子部品を加圧加熱するためのツ−ル部と、
上記ツ−ル本体の上記ツ−ル部が設けられた側面と異なる側面に設けられ上記ツ−ル部の長手方向に沿う温度を部分的に調節する複数の温度調節手段とを具備し、
上記温度調節手段は放熱体と、この放熱体に向けて冷却用の流体を吹き付けるノズル体とから構成されていることを特徴とする電子部品圧着用ツ−ル。
【請求項３】
上記ツ−ル部は上記第１の電子部品に対して複数の第２の電子部品を一度に圧着できる長さに設定されていて、上記温度調節手段は上記ツ−ル部を長手方向全長にわたってほぼ同じ温度に調節するよう上記ツ−ル本体に設けられていることを特徴とする請求項１又は請求項２記載の電子部品圧着用ツ−ル。
【請求項４】
第１の電子部品に異方性導電膜を介して第２の電子部品を圧着するための電子部品圧着用ツ−ルにおいて、
ツ−ル本体と、
このツ−ル本体の長手方向に沿って設けられたヒ−タと、
上記ツ−ル本体の側面に設けられ上記ヒ−タによって加熱されて上記第２の電子部品を加圧加熱するためのツ−ル部と、
上記ツ−ル本体の上記ツ−ル部が設けられた側面と異なる側面に設けられ上記ツ−ル部の長手方向に沿う温度を部分的に調節する複数の温度調節手段とを具備し、
上記ツ−ル部は上記第１の電子部品に対して１つの第２の電子部品を圧着する長さに設定されていて、上記温度調節手段は上記ツ−ル部の長手方向両端部を中央部分よりも低い温度に調節するよう上記ツ−ル本体に設けられていることを特徴とする電子部品圧着用ツ−ル。
【発明の詳細な説明】
【０００１】
【発明の属する技術分野】
この発明は液晶セルにＴＣＰ（Ｔａｐｅ  Ｃａｒｒｉｅｒ  Ｐａｃｋａｇｅ）を異方性導電膜を介して圧着するための電子部品圧着用ツ−ルに関する。
【０００２】
【従来の技術】
液晶表示装置の製造工程においては、液晶セル（第１の電子部品）の周辺部に異方性導電膜のタック性を利用して仮圧着された、上記液晶表示装置の駆動用ＩＣとしてのＴＣＰ（第２の電子部品）を圧着用ツ−ルを用いて加圧加熱することで本圧着する工程がある。
【０００３】
上記液晶セルの周辺部には複数の上記ＴＣＰが仮圧着されているから、これら複数のＴＣＰを上記圧着用ツ−ルで本圧着しなければならない。本圧着はＴＣＰを１つずつ行う場合と、上記液晶セルの一側に設けられた複数のＴＣＰを一度に行う場合とがある。
【０００４】
複数のＴＣＰを一度に本圧着する場合、上記液晶セルの側辺に設けられた複数のＴＣＰを加圧加熱することができる長尺な圧着用ツ−ルを用いなければならない。しかしながら、圧着用ツ−ルを長尺にすると、その長手方向において温度にばらつきが生じることが避けられない。
【０００５】
そのため、温度が高い箇所のＴＣＰはその樹脂テ−プがリ−ドのピッチ方向に所定以上伸びてしまうから、そのリ−ドが液晶セルの隣のリ−ドに短絡してしまうということがあり、また温度が低い箇所のＴＣＰはそのリ−ドと液晶セルのリ−ドとが確実に接合されないということが生じる。
【０００６】
つまり、一度に複数のＴＣＰを本圧着する場合、圧着用ツ−ルの温度がその長手方向においてほぼ均一でないと、各ＴＣＰの接合状態にばらつきが生じるということがあるが、従来においてはそのような加熱温度のばらつきを調節できるようにした圧着用ツ−ルが開発されていなかった。
【０００７】
一方、ＴＣＰの本圧着を１つずつ行う場合、それぞれのＴＣＰをほぼ所定の温度で加熱することが可能となる。しかしながら、ＴＣＰをそのリ−ドのピッチ方向において同じ温度で加熱すると、その樹脂テ−プのリ−ドのピッチ方向の伸びは長手方向中央部分に比べて両端部のほうが大きくなることが避けられない。そのため、ピッチ方向両端部において、ＴＣＰのリ−ドが液晶セルの所定のリ−ドに確実に接合されず、隣のリ−ドに短絡してしまうということがある。とくに、最近ではリ−ドピッチが非常に狭くなってきているので、そのようなことが発生し易くなっている。
【０００８】
しかしながら、従来においては、１つのＴＣＰにおいて、そのリ−ドのピッチ方向中央部分と両端部分との伸びが一定になるよう、加熱温度を調節するということが行われていなかった。
【０００９】
【発明が解決しようとする課題】
このように、従来は、第１の電子部品に複数の第２の電子部品を異方性導電膜を用いて一度に圧着する際、複数の第２の電子部品をほぼ同じ温度で加熱できるようにするということが行われていなかったので、圧着状態にばらつきが生じるということがあった。
【００１０】
また、第１の電子部品に対して第２の電子部品を１つずつ圧着する場合、その第２の電子部品の加熱される側辺が長手方向においてほぼ同じ温度で加熱されるため、上記長手方向中央部分に比べて両端部の伸びが大きくなるということがあった。
【００１１】
この発明は上記事情に基づきなされたもので、その目的とするところは、複数の第２の電子部品を一度に加熱圧着できる長尺な圧着用ツ−ルや電子部品を１つずつ加熱圧着する圧着用ツ−ルにおいて、その長手方向における温度を調節できるようにすることで、複数の第２の電子部品をほぼ同じ温度で加熱したり、１つの電子部品の加熱される側辺の中央部と両端部の温度を調節できる電子部品圧着用ツ−ルを提供することにある。
【００１３】
【課題を解決するための手段】
請求項１の発明は、第１の電子部品に異方性導電膜を介して第２の電子部品を圧着するための電子部品圧着用ツ−ルにおいて、
ツ−ル本体と、
このツ−ル本体の長手方向に沿って設けられたヒ−タと、
上記ツ−ル本体の側面に設けられ上記ヒ−タによって加熱されて上記第２の電子部品を加圧加熱するためのツ−ル部と、
上記ツ−ル本体の上記ツ−ル部が設けられた側面と異なる側面に設けられ上記ツ−ル部の長手方向に沿う温度を部分的に調節する複数の温度調節手段とを具備し、
上記温度調節手段は放熱体であって、この放熱体はフィンを有し、そのフィンの数を任意に設定できる構成であることを特徴とする。
【００１４】
請求項２の発明は、第１の電子部品に異方性導電膜を介して第２の電子部品を圧着するための電子部品圧着用ツ−ルにおいて、
ツ−ル本体と、
このツ−ル本体の長手方向に沿って設けられたヒ−タと、
上記ツ−ル本体の側面に設けられ上記ヒ−タによって加熱されて上記第２の電子部品を加圧加熱するためのツ−ル部と、
上記ツ−ル本体の上記ツ−ル部が設けられた側面と異なる側面に設けられ上記ツ−ル部の長手方向に沿う温度を部分的に調節する複数の温度調節手段とを具備し、
上記温度調節手段は放熱体と、この放熱体に向けて冷却用の流体を吹き付けるノズル体とから構成されていることを特徴とする。
【００１５】
請求項３の発明は、請求項１又は請求項２の発明において、上記ツ−ル部は上記第１の電子部品に対して複数の第２の電子部品を一度に圧着できる長さに設定されていて、上記温度調節手段は上記ツ−ル部を長手方向全長にわたってほぼ同じ温度に調節するよう上記ツ−ル本体に設けられていることを特徴とする請求項１又は請求項２記載の電子部品圧着用ツ−ル。
【００１６】
請求項４の発明は、第１の電子部品に異方性導電膜を介して第２の電子部品を圧着するための電子部品圧着用ツ−ルにおいて、
ツ−ル本体と、
このツ−ル本体の長手方向に沿って設けられたヒ−タと、
上記ツ−ル本体の側面に設けられ上記ヒ−タによって加熱されて上記第２の電子部品を加圧加熱するためのツ−ル部と、
上記ツ−ル本体の上記ツ−ル部が設けられた側面と異なる側面に設けられ上記ツ−ル部の長手方向に沿う温度を部分的に調節する複数の温度調節手段とを具備し、
上記ツ−ル部は上記第１の電子部品に対して１つの第２の電子部品を圧着する長さに設定されていて、上記温度調節手段は上記ツ−ル部の長手方向両端部を中央部分よりも低い温度に調節するよう上記ツ−ル本体に設けられていることを特徴とする。
【００１８】
請求項１の発明によれば、温度調節手段をフィンの数を変えることができる放熱体としたことで、そのフィンの数に応じて温度調節が可能となる。
請求項２の発明によれば、温度調節手段を放熱体と、この放熱体に流体を吹き付けて冷却するノズル体とから構成したことで、温度調節を精度よく行うことができる。
【００１９】
請求項３の発明によれば、複数の第２の電子部品を一度に圧着する場合、それぞれの電子部品をほぼ同じ温度で加熱することが可能となる。
請求項４の発明によれば、第２の電子部品を１つずつ圧着する場合、その圧着される側辺の長手方向両端部分を中央部分よりも加熱温度を低くすることで、両端部の伸びを低く押さえることができる。
【００２０】
【発明の実施形態】
以下、この発明の実施形態を図面を参照して説明する。
図１乃至図４はこの発明の第１の実施形態を示し、図４は第１の電子部品である液晶セル１に第２の電子部品であるＴＣＰ２が異方性導電膜３によって仮圧着された液晶表示装置４を示し、上記ＴＣＰ２は図３に示すＯＬＢ（Ｏｕｔｅｒ  Ｌｅａｄ  Ｂｏｎｄｉｎｇ）装置５によって本圧着される。
【００２１】
上記ＯＬＢ装置５は架台６を有する。この架台６の上面には定盤７が設けられ、この定盤７上にはセル供給ユニット１１、セルステ−ジユニット１２および本圧着ユニット１３が設けられている。
【００２２】
上記供給ユニット１１はθ駆動源１４を有する。このθ駆動源１４にはθ方向（回転方向）に駆動される駆動軸１５が設けられ、この駆動軸１５には直線駆動源１６が設けられている。この直線駆動源１６にはハンド１７が直線方向に沿って駆動自在に設けられている。このハンド１７には、図示しない受け渡しロボットによってＴＣＰ２が仮圧着された液晶表示装置４が供給される。
【００２３】
上記供給ユニット１１のハンド１７に供給された液晶表示装置４は上記セル供給ユニット１１に受け渡される。このセル供給ユニット１１はＸガイド２１を有する。このＸガイド２１にはＸテ−ブル２２がＸ方向に沿って移動自在に設けられ、Ｘ駆動源２３によってＸ方向に駆動されるようになっている。
【００２４】
上記Ｘテ−ブル２２上にはＹテ−ブル２４がＹ方向に沿って移動時在に設けられ、Ｙ駆動源２４ａによってＹ方向に駆動されるようになっている。上記Ｙテ−ブル２４の上面にはθ、Ｚ駆動源２５が設けられ、このθＺ駆動源２５はセルステ−ジ２６を回転駆動およびＺ方向である上下方向に駆動するようになっている。そして、上記セル供給ユニット１１のハンド１７に供給された液晶表示装置４は上記セルステ−ジ２６に受け渡されるようになっている。
【００２５】
セルステ−ジ２６に受け渡された液晶表示装置４は、上記本圧着ユニット１３によって液晶セル１に仮圧着されたＴＣＰ２を本圧着する。この本圧着ユニット１３は定盤７の上面に立設された、断面Ｌ字状の支持体２７を有する。この支持体２７の上端には取付板２８が水平に設けられ、この取付板２８の上面には駆動シリンダ２９が設けられている。この駆動シリンダ２９の駆動軸（図示せず）は上記取付板２８の下面側に突出し、その突出端にはＬ字状の可動部材３１が取り付けられている。つまり、可動部材３１は上記駆動シリンダ２９によって上下駆動されるようになっている。
【００２６】
上記可動部材３１には加圧シリンダ３２が取り付けられている。この加圧シリンダ３２の駆動軸３２ａには調整機構３２ｂを介して電子部品の圧着ツ−ル３３が取り付けられている。この圧着ツ−ル３３の下方には上記定盤７に立設されたバックアップツ−ル３４の上端が対向している。上記調整機構３２ｂは上記圧着ツ−ル３３と上記バックアップツ−ル３４との平行度を調整できるようになっている。
【００２７】
図１に示すように、上記圧着ツ−ル３３は、複数、この実施形態では７つのＴＣＰ２を一度に圧着できる長さに設定された角柱状のツ−ル本体３５を有する。このツ−ル本体３５はツ−ルブロック３６と、このツ−ルブロック３６の下面に断熱部材３７を介して接合固定されたツ−ル保持部材３８とからなる。このツ−ル保持部材３８の下面には長手方向全長にわたって取付け溝３９が形成され、この取付け溝３９にはツ−ル４１が交換自在に装着固定されている。上記ツ−ルブロック３６の上面には、圧着ツ−ル３３を上記調整機構３２ｂに取り付けるための取付具４０が設けられている。
【００２８】
上記ツ−ル保持部材３８にはヒ−タ４２が長手方向ほぼ全長にわたって埋設されている。このヒ−タ４２は図示しない電源に接続されていて、通電されることでツ−ル保持部３８を介して上記ツ−ル４１を所定温度に加熱するようになっている。
【００２９】
上記ツ−ル保持部３８の側面には、圧着ツ−ル３３が一度に本圧着するＴＣＰ２の数に応じた７つの放熱体４５が設けられている。この放熱体４５は図２に示すように複数枚の板状のフィン４６がスペ−サ４７を介して接合されてなり、これらフィン４６とスペ−サ４７とが２本の固定ボルト４８によって上記ツ−ル保持部３８の側面に取付け固定される。なお、フィン４６の数とＴＣＰ２の数は一致しなくともよい。
【００３０】
上記放熱体４５の放熱能力はフィン４６の枚数によって設定される。つまり、フィン４６の枚数が多ければ、放熱能力が大きくなり、少なければ小さくなる。したがって、上記フィン４６の枚数を変えることで、放熱体４５による放熱能力を調節できるようになっている。
【００３１】
たとえば、上記ツ−ル保持部３８の長手方向両端部分の放熱体４５のフィン４６の枚数を中央部分の放熱体４５よりも少なくすることで、中央部分の放熱量を多くできるから、両端部分に比べて温度上昇が高い中央部分の温度上昇が抑制され、ツ−ル部４１の温度を全長にわたってほぼ均一にすることができる。
【００３２】
各放熱体４５の上方にはノズル体４９がそれぞれ対向して配設されている。各ノズル体４９は圧着ツ−ル３３の上下動と連動するよう、たとえば上記調整機構３２ｂに一体的に設けられている。これらノズル体４９は図示しない冷却流体の供給源に同じく図示しない流量制御弁を介して連通していて、上記放熱体４５に向かって冷却流体、たとえばエア−や窒素などを吹き付けることができるようになっている。
【００３３】
上記放熱体４５に吹き付ける冷却流体の量を調整することで、放熱体４５の放熱能力を制御することができる。つまり、放熱体４５の放熱量をフィン４６の枚数によって調節するだけでは微調整が難しいが、ノズル体４９による冷却流体の吹き付け量を調整することで、上記放熱体４５の放熱量を精度よく設定することが可能となる。つまり、ツ−ル部４１の長手方向における温度調節を精度よく行うことができる。
【００３４】
上記構成の圧着ツ−ル３３は、そのツ−ル部４１の温度が長手方向全長にわたってほぼ均一になるよう設定される。設定に際しては、まず各放熱体４５のフィン４６の枚数を調整し、ツ−ル部４１の長手方向の温度分布を測定する。
【００３５】
ツ−ル部４１の長手方向中央部分に対応する放熱体４５のフィン４６の枚数を両端部分に対応する放熱体４５のフィン４６の枚数よりも少なくすることで、上記ツ−ル部４１の長手方向の温度分布をほぼ均一にできるが、さらに温度分布の精度を上げる場合には、各放熱体４５に対向位置するノズル体４９からの冷却流体の吹付け量を調整すればよい。冷却流体の吹付け量の調整は、上記ツ−ル部４１の温度を測定しながら行えばよい。
【００３６】
つまり、圧着ツ−ル３３を本圧着ユニット１３にセットする前に、ツ−ル部４１の長手方向における温度が一定になるよう、放熱体４５とノズル体４９からの冷却流体の流出量とが設定される。
【００３７】
なお、圧着ツ−ル３３を本圧着ユニット１３にセットしてからそのツ−ル部４１の長手方向における複数箇所の温度を測定し、その測定温度にもとずいてノズル体４９から流出する冷却流体の流量を制御するようにしてもよい。
【００３８】
つぎに、上記構成のＯＬＢ装置５によってＴＣＰ２を液晶セル１に本圧着する動作について説明する。セル供給ユニット１１のハンド１７にＴＣＰ２が仮圧着された液晶表示装置４が供給されると、この液晶表示装置４はセルステ−ジユニット１２のセルステ−ジ２６に受け渡される。
【００３９】
液晶表示装置４を保持したセルステ−ジ２６はＸ、Ｙ、Ｚ、θ方向に駆動されて上記液晶表示装置４のＴＣＰ２が仮圧着された部分をバックアップツ−ル３４の上端に位置決めする。液晶表示装置４が位置決めされると、本圧着ユニット１３の加圧シリンダ３２が作動して加圧部材３１を所定の位置まで下降させ、ついで駆動シリンダ２９が作動して上記加圧ツ−ル３３を下降させることで、上記ＴＣＰ２を加圧加熱して本圧着する。
【００４０】
上記加圧ツ−ル３３は複数のＴＣＰ２を一度に加圧加熱する。その際、上記加圧ツ−ル３３のツ−ル部４１はその長手方向の温度がほぼ一定になるよう、放熱体４５と、ノズル体４９から放熱体４５に向けて吹き出される冷却流体とによって温度調節されている。そのため、複数のＴＣＰ２はそれぞれ本圧着に適したほぼ同じ温度で加熱されることになるから、従来のようにＴＣＰ２の圧着温度が高すぎてリ−ドのピッチ方向の伸びが大きくなり過ぎ、そのリ−ドが液晶セル１の他のリ−ドに短絡したり、圧着温度が低く過ぎて圧着状態が不確実になるなどの圧着不良を招くのを防止できる。
【００４１】
すなわち、上記構成の圧着ツ−ル３３によれば、複数のＴＣＰ２を一度に圧着できる長さに設定しても、上記複数のＴＣＰ２をほぼ同じ温度で確実に加圧加熱することが可能となる。
【００４２】
また、圧着ツ−ル３３は駆動シリンダ２９と加圧シリンダ３２との２つのシリンダによって駆動される構成となっているため、そのストロ−クを大きくすることができる。ストロ−クを大きくできることで、メンテナンス時に上記圧着ツ−ル３３をバックアップツ−ル３４の上端から十分に離した位置まで上昇させることが可能となる。それによって、上記圧着ツ−ル３３のメンテナンスを容易に行うことが可能となる。
【００４３】
図５と図６はこの発明の第２の実施形態を示す。なお、第２の実施形態において、第１の実施形態と同一部分には同一記号を付して説明を省略する。
すなわち、第２の実施形態は圧着ツ−ルの変形例であって、この実施形態の圧着ツ−ル３３Ａは１つのＴＣＰ２を本圧着するのに適した長さに設定されている。上記圧着ツ−ル３３Ａのツ−ル本体３５Ａがツ−ルブロック３６、断熱部材３７およびツ−ル部４１を保持したツ−ル保持部３８から構成されている点は上記第１の実施形態と同じであり、上記ツ−ル保持部３８にはその側面の長手方向両端部に一対の放熱体４５およびその放熱体４５に対向してノズル体４９が設けられている。
【００４４】
上記構成の圧着ツ−ル３３Ａが用いられるＯＬＢ装置５は上記一実施形態とほぼ同じ構成であるが、可動部材３１には２つの加圧シリンダ３２が設けられ、各加圧シリンダ３２の駆動軸３２ａにはそれぞれ圧着ツ−ル３３Ａが調整機構３２ｂを介して取り付けられているという点で相違している。
【００４５】
上記ツ−ル保持部３８の長手方向両端部に放熱体４５とノズル体４９とを設けることで、このツ−ル保持部３８に設けられたツ−ル部４１は長手方向両端部が中央部分に比べてわずかに温度が低くなるよう、温度調節される。
【００４６】
たとえば、液晶セル１に本圧着されるＴＣＰ２の一側の長さが２０ｍｍで、リ−ドピッチが９０μｍの場合、上記ツ−ル部４１の温度を長手方向全長にわたって１７０℃に均一に設定して本圧着したところ、上記ＴＣＰ２の一側のリ−ドのピッチ方向の伸びは３０μｍであった。
【００４７】
これに対してツ−ル部４１の中央部分の温度を１７０℃、両端部分の温度を１６０℃に設定して本圧着したところ、上記ＴＣＰ２の一側のリ−ドのピッチ方向の伸びを２０〜２５μｍに抑制できることが実験によって確認できた。
【００４８】
すなわち、この実施形態ではツ−ル保持部３８の長手方向両端部の温度を調節できるようにしたので、１つのＴＣＰ２を本圧着する際、両端部の温度を中央部分の温度よりも低くすることで、ＴＣＰ２の長手方向両端部のリ−ドのピッチ方向のずれ量を小さくできるから、そのリ−ドが液晶セル１の所定のリ−ドからずれて他のリ−ドに短絡するのを防止することができる。
【００４９】
また、本圧着ユニット１３の可動部材３１に２つの加圧シリンダ３２を設け、それぞれの加圧シリンダ３２にこの実施形態の圧着ツ−ル３３Ａを取り付ける構成であるから、たとえば２つの圧着ツ−ル３３Ａの長さ寸法を変え、使用する圧着ツ−ル３３Ａを選択することで、１つの液晶セル１に大きさの異なる２種類のＴＣＰ２を本圧着することが可能となる。
【００５０】
たとえば、図４に示す液晶表示装置３において、液晶セル１の長手方向両側と短手方向一側とに設けられるＴＣＰ２の大きさは異なるが、このような場合に各辺のＴＣＰ２を１つずつ本圧着する際、この実施形態のように圧着ツ−ル３３が２つ設けられたＯＬＢ装置５が有効である。すなわち、大きさの異なる２種類のＴＣＰ２に対して上記圧着ツ−ル３３Ａを交換せずに対応できるから、生産性の向上が計れる。
【００５１】
なお、この発明において、上記各実施形態では温度調整手段として放熱体とノズル体とを用いたが、放熱体だけであってもツ−ル本体３５の温度調節を行うことができること勿論である。
【００５４】
【発明の効果】
請求項１の発明は、温度調節手段をフィンの数を変えることができる放熱体としたから、そのフィンの数に応じて上記ツ−ル本体の設定温度を調節することが可能となる。
【００５５】
請求項２の発明は、温度調節手段を放熱体と、この放熱体に流体を吹き付けて冷却するノズル体とから構成したから、上記放熱体だけでなく、上記ノズル体からの冷却流体によって上記ツ−ル本体の温度調節を精度よく行うことが可能となる。
【００５６】
請求項３の発明は、ツ−ル本体を複数の第２の電子部品が一度に圧着できる長さに設定し、温度調節手段によってこれら複数の電子部品をほぼ同じ温度で加熱できるようにした。そのため、複数の第２の電子部品を一度に同じ温度条件で確実に本圧着することが可能となる。
【００５７】
請求項４の発明は、第２の電子部品を１つずつ圧着する場合、その圧着される側辺の長手方向両端部分を中央部分よりも加熱温度を低くできるようにした。そのため、上記第２の電子部品の長手方向両端部の伸びを低く押さえることができるから、第２の電子部品のリ−ドが第１の電子部品の定められたリ−ド以外に短絡するのを防止することができる。
【図面の簡単な説明】
【図１】この発明の第１の実施形態の圧着ツ−ルを示す斜視図。
【図２】同じく放熱体の分解斜視図。
【図３】同じく本圧着ユニットの斜視図。
【図４】同じく液晶表示装置の斜視図。
【図５】この発明の第２の実施形態を示す圧着ツ−ルの斜視図。
【図６】同じく本圧着ユニットの斜視図。
【符号の説明】
１…液晶セル（第１の電子部品）、２…ＴＣＰ（第２の電子部品）、３…異方性導電膜、３５…ツ−ル本体、４１…ツ−ル部、４２…ヒ−タ、４５…放熱体（温度調節手段）、４６…フィン、４９…ノズル体（温度調節手段）。
【図１】
0003569061.tif 000002
【図２】
0003569061.tif 000003
【図３】
0003569061.tif 000004
【図４】
0003569061.tif 000005
【図５】
0003569061.tif 000006
【図６】
0003569061.tif 000007